(57)【要約】【課題】デジタル方式の放送電波の伝送方式が変化しても、可能な限りの良好な受信を維持する。【解決手段】バックエンド処理部１１は、受信した信号に対する復調済みの信号に含まれるＴＭＣＣ（Transmission and Multiplexing Configuration Control）に含まれる情報である、現在受信している放送の伝送方式のパラメータを解析することで、現在受信している放送のための放送電波の変調方式の種別を判別する。アンテナ切り替え制御部１２は、判別した変調方式を示す情報、および、この変調方式において良好な受信を行なうためのアンテナ切り替え方式の情報を対応付けたテーブルを記憶する。アンテナ切り替え制御部１２は、判別した変調方式を示す情報とテーブルとを照合することで、アンテナ切り替え間隔やアンテナ切り替えの予測方式などでなるアンテナ切り替え方式を決定する。【選択図】      図１
2006108919.tif 000002
【特許請求の範囲】
【請求項１】
位置を異ならせて複数設けられたアンテナと、
これら複数のアンテナの間で、デジタル放送電波を受信するアンテナを切り替える切り替え手段と、
前記複数のアンテナのうち、前記アンテナ切り替え手段により切り替えられたアンテナにより受信したデジタル放送電波のうち所望のチャンネルの電波を選局する選局手段と、
この選局手段により選局した電波から、当該電波の伝送方式を示す情報を取得する取得手段と、
この取得手段により取得した情報で示される伝送方式の種別にもとづいて、前記切り替え手段によるアンテナの切り替えの方式を設定する設定手段と
を備えたことを特徴とする車載用デジタル放送受信装置。
【請求項２】
前記取得手段により取得した情報で示される伝送方式にしたがって放送される番組の終了時刻より予め定められた時間だけ前の時刻以降において前記選局手段により選局した電波は、前記終了時刻以降の番組を放送するための電波の伝送方式を示す第２の情報を含み、
前記第２の情報で示される伝送方式が、前記取得手段により取得した情報で示される伝送方式と異なる場合に、前記設定手段により、前記第２の情報で示される伝送方式の種別にもとづいて、前記切り替えの方式の設定にかかる処理を開始するように制御することで、前記選局手段により前記終了時刻以降の番組にかかる電波の選局を行なった際に前記切り替えの方式の設定が終了するように制御する制御手段をさらに備えたことを特徴とする請求項１に記載の車載用デジタル放送受信装置。
【請求項３】
前記取得手段は、
前記選局手段により選局した電波が、デジタルテレビ放送用の情報、および、このデジタルテレビ放送の内容に対応するデジタル音声放送用の情報を含んでいる場合に、このデジタル音声放送用の情報の伝送方式を示す情報を前記選局した電波から取得する
ことを特徴とする請求項１に記載の車載用デジタル放送受信装置。
【発明の詳細な説明】
【技術分野】
【０００１】
本発明は、デジタル放送電波を受信するための複数のアンテナを備えた車載用デジタル放送受信装置に関する。
【背景技術】
【０００２】
従来、自動車などの移動体に搭載された車載用デジタル放送受信装置では、移動体の移動による周囲の環境の変化により電波受信感度が変化しても、この変化に対応した電波受信を行なうために、例えば特許文献１に開示されたように、位置を異ならせて複数の受信用アンテナを設け、これらのアンテナから良好な電波受信が行なえるアンテナを選択するものがある。
【特許文献１】特開平４−１３２３１７号公報
【発明の開示】
【発明が解決しようとする課題】
【０００３】
デジタル方式のテレビジョン放送では、さまざまな種別の方式による信号伝送が行なえるようになっている。これの伝送方式の種別は、高密度の情報の伝送が可能な方式や、ノイズ耐性が強い方式など多岐に及ぶが、複数設けたアンテナ間の、可能な限りの良好な電波受信を行なうために適するアンテナ切り替え方式、例えば、受信対象のアンテナの切り替え間隔の大小などは、信号伝送の方式の種別によって異なる。複数のアンテナを搭載したこれまでの車載用デジタル放送受信装置では、伝送方式の種別と関係のないアンテナ切り替えを行なっていたため、伝送方式の種別が変化した場合に、放送電波の良好な受信が行なえなくなる場合があった。
【０００４】
そこで、本発明の目的は、デジタル方式の放送電波の伝送方式が変化しても、可能な限りの良好な受信を維持することが可能になる車載用デジタル放送受信装置を提供することにある。
【課題を解決するための手段】
【０００５】
すなわち、本発明に係わる車載用デジタル放送受信装置は、位置を異ならせて複数設けられたアンテナの間で、デジタル放送電波を受信するアンテナを切り替える切り替え手段を設けた上で、選局した電波から、当該電波の伝送方式を示す情報を取得し、この情報で示される伝送方式の種別にもとづいて、切り替え手段によるアンテナの切り替えの方式を設定することを特徴とする。
【発明の効果】
【０００６】
本発明に係わる車載用デジタル放送受信装置では、選局した電波から、当該電波の伝送方式を示す情報を取得し、この情報で示される伝送方式の種別にもとづいて、位置を異ならせて複数設けられたアンテナの間で、デジタル放送電波を受信するアンテナの切り替えの方式を設定するので、デジタル方式の放送電波の伝送方式が変化しても、可能な限りの良好な受信を維持することができる。
【発明を実施するための最良の形態】
【０００７】
以下図面により本発明の実施形態について説明する。  
図１は、本発明の実施形態にしたがった車載用デジタル放送受信装置の構成例を示すブロック図である。  
図１に示した車載用デジタル放送受信装置は、放送局から、ＯＦＤＭ（Orthogonal Frequency Division Multiplex：直交周波数分割多重変調）方式より変調されて送信されたデジタル方式の放送電波を受信するアンテナ１、このアンテナ１が受信した放送電波から、予め選択した放送局の電波を選局するチューナ２を備える。
【０００８】
この車載用デジタル放送受信装置は、例えば空間ダイバシティなどのダイバシティ方式による受信機能を有しており、アンテナ１と同じ機能を有するアンテナ３が受信した放送電波から、予め選択した放送局の電波を選局するチューナ４、アンテナ１と同じ機能を有するアンテナ５が受信した放送電波から、予め選択した放送局の電波を選局するチューナ６、アンテナ１と同じ機能を有するアンテナ７が受信した放送電波から、予め選択した放送局の電波を選局するチューナ８をさらに備える。  
この車載用デジタル放送受信装置は、４組のアンテナおよびチューナを備えているが、同じ機能を持つアンテナとチューナの組みをさらに備えた構成としてもよい。
【０００９】
チューナ２，４，６，８は、アンテナ切り替えスイッチ９と接続され、このアンテナ切り替えスイッチ９はＯＦＤＭ復調部１０と接続される。アンテナ切り替えスイッチ９は、チューナ２，４，６，８のうち、ＯＦＤＭ復調部１０と電気的に接続するために入力するユニットを切り替える。ＯＦＤＭ復調部１０は、チューナ２，４，６，８のうち、アンテナ切り替えスイッチ９を介して電気的に接続されたチューナによる選局により得られた信号を復調する。
【００１０】
ＯＦＤＭ復調部１０は、バックエンド処理部１１と接続される。また、車載用デジタル放送受信装置は、アンテナ切り替えスイッチ９を制御するアンテナ切り替え制御部１２を備える。また、バックエンド処理部１１は、アンテナ切り替え制御部１２、表示部１３、および音声出力部１４と接続される。
【００１１】
バックエンド処理部１１は、ＯＦＤＭ復調部１０により復調されて得た信号を画像信号および音声信号などに分離した上で、この分離した画像信号に対するデコード処理を行なって、これを表示部１３に出力し、また、前述のように分離した音声信号に対するデコード処理を行なって、これを音声出力部１４に出力する。
【００１２】
表示部１３は、バックエンド処理部１１から入力した画像信号に対するＤ／Ａ変換やＹＣ混合などを経た画像表示を行ない、音声出力部１４は、バックエンド処理部１１から入力した音声信号に対するＤ／Ａ変換や増幅処理を経た音声出力を行なう。
【００１３】
次に、図１に示した構成の車載用デジタル放送受信装置の動作について説明する。  
図２は、本発明の実施形態にしたがった車載用デジタル放送受信装置のアンテナ切り替えにかかる処理動作の一例を示すフローチャートである。
【００１４】
まず、車載用デジタル放送受信装置のアンテナ切り替えスイッチ９は、チューナ２，４，６，８のうち、アンテナ切り替え制御部１２による制御にしたがって電気的に接続されたチューナからの信号を入力して、これをＯＦＤＭ復調部１０に出力する。
【００１５】
ＯＦＤＭ復調部１０は、アンテナ切り替えスイッチ９からの信号に対する復調を行ない、この復調済みの信号をバックエンド処理部１１に出力する（ステップＳ１）。バックエンド処理部１１は、ＯＦＤＭ復調部１０からの信号を画像信号、音声信号、および番組情報用の信号に分離する（ステップＳ２）。
【００１６】
ＯＦＤＭ復調部１０から入力した信号は、ＴＭＣＣ（Transmission and Multiplexing Configuration Control）を含む。ＴＭＣＣは伝送パラメータを含む。この伝送パラメータは、ＯＦＤＭ復調部１０と電気的に接続されたチューナおよび、このチューナと接続されたアンテナにより受信した電波の変調方式を示す。この変調方式は、例えばＱＰＳＫ（Quadrature Phase Shift Keying）や６４ＱＡＭ（sixty four-Quadrature Amplitude Modulation）などが挙げられる。
【００１７】
ＱＰＳＫは、伝送できる情報量は６４ＱＡＭに対して少ないが、ノイズ耐圧が６４ＱＡＭに対して強い。また、６４ＱＡＭは、ノイズ耐圧はＱＰＳＫに対して弱いが、伝送できる情報量がＱＰＳＫに対して多いといった特徴をもつ。
【００１８】
また、バックエンド処理部１１は、前述のように分離した番組情報用の信号をデコードすることで、ＥＰＧ（Electronic Program Guide：電子番組ガイド）の情報を得る（ステップＳ３）。
【００１９】
このＥＰＧ情報は、現在受信している放送が映像音声放送、いわゆるデジタルテレビ放送のみの放送であるか、あるいは、デジタルテレビ放送およびデジタル音声放送のサイマル放送であるかを示す放送種別識別情報を含む。
【００２０】
サイマル放送における音声放送は、同じサイマル放送におけるデジタルテレビ放送の内容と対応し、かつ映像が無いことを前提とした放送である。バックエンド処理部１１は、ＥＰＧ情報に含まれる放送種別識別情報を解析することで、現在受信中の番組がサイマル放送であるか否かを判別する（ステップＳ４）。
【００２１】
現在受信している放送がサイマル放送の場合には、ＯＦＤＭ復調部１０から入力した信号に含まれるＴＭＣＣは、サイマル放送中のデジタルテレビ放送用の伝送パラメータ、および、サイマル放送中のデジタル音声放送用の伝送パラメータをともに含む。これらの伝送パラメータで示される変調方式は異なる方式とすることができる。
【００２２】
ステップＳ４による判別の結果、「ＮＯ」と判別された場合、つまり、現在の放送がデジタルテレビ放送の単一放送であった場合には、バックエンド処理部１１は、ＯＦＤＭ復調部１０から入力した信号からＴＭＣＣを抽出し、このＴＭＣＣから、現在受信しているデジタルテレビ放送用の情報の伝送パラメータを抽出する（ステップＳ５）。
【００２３】
一方、ステップＳ４による判別の結果、「ＹＥＳ」と判別された場合、つまり、現在受信している放送が、デジタルテレビ放送、および、このデジタルテレビ放送に対応するデジタル音声放送のサイマル放送であった場合には、バックエンド処理部１１は、ＯＦＤＭ復調部１０から入力した信号からＴＭＣＣを抽出し、このＴＭＣＣから、現在受信しているサイマル放送中のデジタル音声放送用の情報の伝送パラメータを抽出する（ステップＳ６）。
【００２４】
バックエンド処理部１１は、ステップＳ５またはステップＳ６の処理により抽出した伝送パラメータを解析することで変調方式を判別し、この判別結果を示す情報をアンテナ切り替え制御部１２に出力する（ステップＳ７）。
【００２５】
アンテナ切り替え制御部１２は、バックエンド処理部１１からの判別結果を示す情報を入力し、この情報で示される変調方式の種別にしたがって、アンテナ切り替え方式、つまり、アンテナ切り替えスイッチ９と、チューナ２，４，６，８との電気的な接続の有無の方式を切り替える。
【００２６】
具体的には、アンテナ切り替え制御部１２は、各種の変調方式を示す情報、および、この変調方式に適切なアンテナ切り替え方式を定義した切り替えモードの情報を対応付けたアンテナ切り替えモード定義テーブル（図３参照）を記憶する。アンテナ切り替え制御部１２は、バックエンド処理部１１により判別した変調方式を示す情報と、アンテナ切り替えモード定義テーブルを照合することで、適切なアンテナ切り替え方式を決定する（ステップＳ８）。
【００２７】
例えば、アンテナ切り替え制御部１２は、バックエンド処理部１１からの情報で示される変調方式が“ＱＰＳＫ”であった場合には、アンテナ切り替えモードとして“モード１”を選択し、バックエンド処理部１１からの情報で示される変調方式が“６４ＱＡＭ”であった場合には、アンテナ切り替えモードとして“モード２”を選択する。
【００２８】
アンテナ切り替えモードの“モード１”では、“ＱＰＳＫ”方式により変調されて送信された放送電波を可能な限り良好に受信できるようなアンテナ切り替え方式が定義され、アンテナ切り替えモードの“モード２”では、“６４ＱＡＭ”方式により変調されて送信された放送電波を可能な限り良好に受信できるようなアンテナ切り替え方式が定義される。
【００２９】
アンテナ切り替え制御部１２は、この選択したモードにしたがって、以後のアンテナ切り替え方式を決定し、この方式にしたがって、アンテナ切り替えスイッチ９の制御を行なう。
【００３０】
各々のアンテナ切り替えモードでは、アンテナ切り替えモード定義テーブルで対応付けられた変調方式に適したアンテナ切り替え方式として、アンテナ切り替え間隔、切り替え対象アンテナの識別情報、アンテナ切り替えの予測方式、および、アンテナ切り替えの有無にかかる電界強度基準値などが定義される。
【００３１】
アンテナ切り替えモードで定義するアンテナ切り替え間隔とは、アンテナ切り替えスイッチ９、および、チューナ２，４，６，８との電気的な接続の切り替えの時間間隔を示す。また、アンテナ切り替えモードで定義する切り替え対象アンテナとは、チューナ２，４，６，８のうち、アンテナ切り替えスイッチ９との接続対象としないチューナや、アンテナ切り替えスイッチ９と継続的に接続するチューナの識別情報である。
【００３２】
また、本発明の実施形態にしたがった車載用デジタル放送受信装置では、アンテナ１，３，５，７によりそれぞれ受信した放送電波の電界強度の値の、過去の予め定められた時間における変化の傾向を分析し、この分析結果に応じて、以後の電界強度の変化の傾向を予測し、この予測結果をもとにして、アンテナ切り替えスイッチ９との接続対象とするチューナを順次切り替える機能を有する。
【００３３】
アンテナ切り替えモードで定義するアンテナ切り替えの予測方式は、前述した電界強度の変化の傾向予測の方式、例えば、傾向予測のための分析対象の電界強度の値の計測時間の大小を示す。
【００３４】
また、本発明の実施形態にしたがった車載用デジタル放送受信装置では、アンテナ１，３，５，７によりそれぞれ受信した放送電波の電界強度の値が予め定められた上限値を超えている場合には、アンテナ切り替えを行なわずとも放送電波の良好な受信が行なえるとみなし、アンテナ切り替えを行なわずに、チューナ２，４，６，８とアンテナ切り替えスイッチ９との電気的な接続を常時行なう機能、および、アンテナ１，３，５，７によりそれぞれ受信した放送電波の電界強度の値が予め定められた下限値未満である場合には、アンテナ切り替えをどのように行なっても放送電波の良好な受信が行なえないとみなし、チューナ２，４，６，８とアンテナ切り替えスイッチ９との電気的な接続を一切行なわない機能を有する。  
前述したアンテナ切り替えモードで定義するアンテナ切り替えの有無にかかる電界強度基準値は、前述した上限値および下限値を示す。
【００３５】
ステップＳ８による処理後は、アンテナ切り替え制御部１２は、現在選局しているチャンネルが別のチャンネルに切り替わる、または同一チャンネルにおける番組が次番組に切り替わるなどして、受信中の番組が別の番組に切り替わることにより、ＯＦＤＭ復調部１０により復調される信号に含まれるＴＭＣＣに含まれる情報である、変調方式の種別が切り替わるまで、ステップＳ８の処理で決定した方式によるアンテナ切り替えスイッチ９の制御を継続する。
【００３６】
以上説明したように、本発明の実施形態にしたがった車載用デジタル放送受信装置では、受信した放送電波の変調方式を判別し、この判別した変調方式の種別をもとにして、複数備えたアンテナの切り替えの方式を、当該判別した変調方式により送信された電波の良好な受信を行なうことができる方式に設定するので、受信した放送電波の変調方式が変化しても、可能な限りの良好な受信を継続することができる。
【００３７】
次に、本発明の実施形態の変形例について説明する。  
前述したような、アンテナ切り替え方式の設定にかかる処理を行なう際には、その処理の開始から終了までに一定の時間を要する。つまり、現在選局している番組を放送するための電波の変調方式、および、この番組からの切り替え先の番組を放送するための電波の変調方式が異なっている場合には、前述したような、現在受信している番組を放送するための電波に含まれるＴＭＣＣで示される、当該現在の番組を放送するための電波の変調方式の識別情報を抽出することで、適切なアンテナ切り替え方式を設定する手法では、新たな番組の放送が開始された時刻と、この新たな番組を放送するための電波の変調方式に適したアンテナ切り替え方式の設定が終了する時刻の間に差分が生じることになる。
【００３８】
さて、この変形例では、車載用デジタル放送受信装置により現在選局しているチャンネルの現在の番組の終了時刻から予め定められた時間だけ前の時刻以降において放送局から送信された電波をＯＦＤＭ復調部１０により復調して得られる信号に含まれるＴＭＣＣは、現在選局している番組の終了時刻以降に放送される番組である次番組を放送するための電波の変調方式の識別情報、いわゆるネクスト情報を含む。この変形例では、ネクスト情報を利用することで、前述した時刻の差分を解消する。
【００３９】
具体的には、車載用デジタル放送受信装置のバックエンド処理部１１は、前述したＴＭＣＣから、現在選局している番組に関する伝送パラメータ、および、ネクスト情報を抽出し、このネクスト情報で示される変調方式の種別が、現在の番組に関する伝送パラメータで示される変調方式の種別と異なる場合には、このネクスト情報で示される情報である、次番組を放送するための電波の変調方式の種別を示す情報を、アンテナ切り替え制御部１２に出力する。
【００４０】
アンテナ切り替え制御部１２は、バックエンド処理部１１から出力された、次番組に関する変調方式の情報を入力し、この情報とアンテナ切り替えモード定義テーブル（図３参照）とを照合することで、次番組を放送するための電波の変調方式に適したアンテナ切り替えモードを決定する。
【００４１】
このような処理を行なうことで、受信している番組を放送するための電波の変調方式が切り替わった当初から、この切り替わった変調方式に適したモードにしたがったアンテナ切り替え処理を行なうことができる。
【００４２】
以上説明した実施形態では、ＴＭＣＣに含まれる変調方式の種別にしたがって、アンテナ切り替え方式を可変する構成としたが、これに限らず、放送電波の伝送方式の要素にかかるパラメータであれば、他のパラメータの種別が変更になった場合でも、適したアンテナ切り替え方式は異なってくるので、ＴＭＣＣに含まれる他のパラメータ、例えば信号帯域幅、送出キャリア数、有効シンボル長などのパラメータを解析して、この解析結果にしたがって、電波の良好な受信を行なうためのアンテナ切り替え方式を決定するようにしてもよい。
【００４３】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００４４】
【図１】本発明の実施形態にしたがった車載用デジタル放送受信装置の構成例を示すブロック図である。
【図２】本発明の実施形態にしたがった車載用デジタル放送受信装置のアンテナ切り替えにかかる処理動作の一例を示すフローチャートである。
【図３】本発明の実施形態にしたがった車載用デジタル放送受信装置に記憶される、アンテナ切り替えモード定義テーブルの一例を表形式で示した図である。
【符号の説明】
【００４５】
１，３，５，７…アンテナ、２，４，６，８…チューナ、９…アンテナ切り替えスイッチ、１０…ＯＦＤＭ復調部、１１…バックエンド処理部、１２…アンテナ切り替え制御部、１３…表示部、１４…音声出力部。
【図１】
2006108919.tif 000003
【図２】
2006108919.tif 000004
【図３】
2006108919.tif 000005